(57)【特許請求の範囲】
【請求項１】
利用者による行先階の登録のための行先階登録装置と、
前記利用者によって登録された行先階を複数のエレベータのうちのいずれかのエレベータに割り当て、その後に、所定の割当変更条件が成立したときに、前記登録された行先階を、前記割り当てたエレベータから別のエレベータに割当変更する制御装置と、を備え、
前記制御装置は、
前記割り当てたエレベータへ移動中の利用者がいるか否かを判定し、
前記割り当てたエレベータへ移動中の利用者がいると判定したときは、前記所定の割当変更条件が成立した場合でも、前記登録された行先階を、前記割り当てたエレベータから別のエレベータに割当変更しない、
エレベータの群管理システム。
【請求項２】
前記割り当てたエレベータを示す情報を報知する報知部をさらに備え、
前記制御装置は、前記登録された行先階を前記割り当てたエレベータから別のエレベータに割当変更したとき、前記報知部に当該別のエレベータを示す情報を報知させる、
請求項１記載のエレベータの群管理システム。
【請求項３】
前記制御装置は、
前記行先階を前記割り当てたエレベータに割り当てたときから、当該行先階登録装置から前記割り当てたエレベータへの所定移動時間よりも長い時間が経過したか否かを判定し、
前記行先階を前記割り当てたエレベータに割り当てたときから、前記所定移動時間よりも長い時間が経過していない場合、前記割り当てたエレベータへ移動中の利用者がいると判定し、
前記行先階を前記割り当てたエレベータに割り当てたときから、前記所定移動時間よりも長い時間が経過している場合、前記割り当てたエレベータへ移動中の利用者がいないと判定する、
請求項１または２記載のエレベータの群管理システム。
【請求項４】
利用者の属性を示す情報を取得する識別情報取得部をさらに備え、
前記制御装置は、利用者の属性に応じた移動速度を示す情報をあらかじめ記憶する記憶部を有し、
前記制御装置は、前記識別情報取得部により取得された利用者の属性を示す情報に基づいて、当該利用者の属性に応じた移動速度を示す情報を前記記憶部から読み出し、読み出した情報が示す利用者の移動速度に基づいて、前記割り当てたエレベータへの前記所定移動時間を計算する、
請求項３記載のエレベータの群管理システム。
【請求項５】
前記制御装置は、
前記割り当てたエレベータに複数の行先階が登録されている場合において、
前記所定の割当変更条件が成立した場合でも、登録されている行先階のうち少なくとも一の行先階に係る利用者が当該割り当てたエレベータへ移動中であると判定したときは、登録されている全ての行先階を別のエレベータに割当変更しない、
請求項１から４までのうちのいずれか一項記載のエレベータの群管理システム。
【請求項６】
前記制御装置は、
前記割り当てたエレベータに複数の行先階が登録されている場合において、
前記所定の割当変更条件が成立した場合でも、登録されている行先階のうち少なくとも一の行先階に係る利用者が当該割り当てたエレベータへ移動中であると判定したときは、前記割り当てた複数の行先階のうち移動中であると判定した利用者により登録された行先階については、別のエレベータに割当変更しない、
請求項１から４までのうちのいずれか一項記載のエレベータの群管理システム。
【請求項７】
前記所定の割当変更条件は、前記登録された行先階が前記割り当てたエレベータに割り当てられたときから、前記割り当てたエレベータが、前記行先階登録装置が設置された登録階に到着するときまでの、利用者の待ち時間が第１の所定時間以上であることを含む、
請求項１から６までのうちのいずれか一項記載のエレベータの群管理システム。
【請求項８】
前記所定の割当変更条件は、前記登録された行先階が前記割り当てたエレベータに割り当てられたときから、前記登録された行先階を別のエレベータに仮に割当変更した場合における、当該別のエレベータが、前記行先階登録装置が設置された登録階に到着するときまでの、利用者の待ち時間が第２の所定時間未満であることを含む、
請求項１から７までのうちのいずれか一項記載のエレベータの群管理システム。
【請求項９】
利用者によって登録された行先階を複数のエレベータのうちのいずれかのエレベータに割り当てるステップと、
所定の割当変更条件が成立したときに、前記登録された行先階を、前記割り当てたエレベータから、別のエレベータに割当変更するステップと、を含み、
前記割当変更するステップにおいて、
前記割り当てたエレベータへ移動中の利用者がいるか否かを判定し、
前記割り当てたエレベータへ移動中の利用者がいると判定したときは、前記所定の割当変更条件が成立した場合でも、前記登録された行先階を、前記割り当てたエレベータから別のエレベータに割当変更しない、
エレベータの群管理方法。
【発明の詳細な説明】
【技術分野】
【０００１】
本発明は、登録された行先階に基づいて複数台のエレベータのうちのいずれかを割当可能なエレベータの群管理システムに関する。
【背景技術】
【０００２】
特許文献１には、行先階登録装置で登録された行先階を、複数台のエレベータのうちのいずれかに割り当てる割当制御部と、所定の条件が成立したときに利用者が乗車すべき号機を他の号機に割当変更する割当変更部と、を備えたエレベータの群管理システムが開示されている。
【先行技術文献】
【特許文献】
【０００３】
【特許文献１】特開２０１３−６７４９７号公報
【発明の概要】
【発明が解決しようとする課題】
【０００４】
特許文献１に開示されたエレベータの群管理システムでは、一般利用者、特別利用者等の異なる属性を有する利用者の乗り合わせを回避するように、割当変更を行う。しかしながら、割当号機を利用者に通知後、割当変更がなされると、利用者は、割当変更を知ることできない恐れがあり、利用者の利便性が損なわれる場合がある。
【０００５】
本発明は、割当変更により利用者の利便性が損なわれることを抑制可能なエレベータの群管理システムを提供する。
【課題を解決するための手段】
【０００６】
本発明の一態様に係るエレベータの群管理システムは、
利用者による行先階の登録のための行先階登録装置と、利用者によって登録された行先階を複数のエレベータのうちのいずれかのエレベータに割り当て、その後に、所定の割当変更条件が成立したときに、登録された行先階を、割り当てたエレベータから別のエレベータに割当変更する制御装置とを備える。
制御装置は、割り当てたエレベータへ移動中の利用者がいるか否かを判定し、割り当てたエレベータへ移動中の利用者がいると判定したときは、上記所定の割当変更条件が成立した場合でも、前記登録された行先階を、割り当てたエレベータから別のエレベータに割当変更しない。
【発明の効果】
【０００７】
本発明のエレベータの群管理システムによれば、行先階が割り当てられたエレベータへ移動中の利用者がいると推定される場合、所定の割当変更条件が成立した場合でも、登録された行先階が別のエレベータに割当変更されない。したがって、利用者が移動中であり割当変更を知り得る状態にないと推定されるときには、登録された行先階は割当変更されない。よって、割当変更により利用者の利便性が損なわれることが抑制される。
【図面の簡単な説明】
【０００８】
【図１】実施形態１に係るエレベータの群管理システムの構成を示すブロック図である。
【図２】実施形態１に係るエレベータの群管理システムのエレベータ、行先階登録装置、及び行先階インジケータの、エレベータホールにおける配置を示す図と、エレベータホールにおける行先階インジケータの配置を示す図である。
【図３】実施形態１に係る行先階登録装置の構成を示すブロック図と、行先階登録装置の正面図である。
【図４】実施形態１に係る行先階インジケータの構成を示すブロック図である。
【図５】実施形態１に係るエレベータの群管理システムの制御装置の機能ブロック図である。
【図６】実施形態１に係る行先階呼び情報を記録した行先階呼びテーブルを示す図である。
【図７】実施形態１に係る割当変更判定処理の流れを示すフローチャートである。
【図８】実施形態１に係るエレベータの群管理システムにおける、各行先階登録装置から各エレベータまでの標準的な移動時間を記録した移動時間テーブルを示す図である。
【図９】実施形態１に係る割当変更判定処理に基づいた行先階インジケータの表示例を示す図である。
【図１０】実施形態２に係る割当変更判定処理の流れを示すフローチャートである。
【図１１】実施形態２に係る割当変更判定処理に基づいた行先階インジケータの表示例を示す図である。
【図１２】実施形態３に係る行先階登録装置の構成を示すブロック図である。
【図１３】実施形態３に係る制御装置の機能ブロック図である。
【図１４】実施形態３に係る利用者の属性に応じた移動速度を記録した移動速度テーブルを示す図である。
【図１５】実施形態３に係るエレベータの群管理システムにおける、各行先階登録装置から各エレベータまでの利用者の移動距離を記録した移動距離テーブルを示す図である。
【図１６】従来技術の問題点を説明するための、従来例に係るエレベータの群管理システムのエレベータホールにおける配置を示す図である。
【発明を実施するための形態】
【０００９】
本発明の実施形態に係るエレベータの群管理システムについて図面を参照して説明する。
【００１０】
（従来技術の問題点）
実施形態について説明する前に従来技術の問題点について説明する。
【００１１】
エレベータの群管理システムとして行先階登録方式の群管理システムが知られている。行先階登録方式の群管理システムでは、利用者により行先階登録装置で行先階が登録され、登録された行先階は複数のエレベータのうちのいずれかのエレベータに割り当てられる。
【００１２】
行先階登録方式においては、割り当てたエレベータが登録階（出発階）に到着するまでの利用者の待ち時間が、予測外れ等によって長くなる場合がある。この場合、待ち時間の短縮のために、登録された行先階が別のエレベータに割当変更されることがある。しかし、割当変更前のエレベータに向かって移動中の利用者は、割当変更を知ることができない場合がある。この問題点について図１６を参照して説明する。
【００１３】
図１６は、従来技術の問題点を説明するための、エレベータの群管理システムのエレベータホールにおける配置を示す図である。行先階登録装置７２は、Ａ号機〜Ｆ号機のエレベータホールの入口付近に設置されている（図１６（ａ））。利用者Ｕ１は行先階登録装置７２で行先階を登録し、Ｄ号機のエレベータ７１が割り当てられる。そして、利用者Ｕ１はＤ号機のエレベータ７１のドア前へ向かって移動する。別の利用者Ｕ２は、Ｄ号機のエレベータのドア前でＤ号機のエレベータの到着を待っている。このとき、Ｄ号機のエレベータに割り当てられている行先階（例えば５階、１０階、１２階）が、Ａ号機のエレベータに割当変更されたものとする。このとき、Ｄ号機のエレベータのドアの近傍に設置されている行先階インジケータ７３は、図１６（ｂ）に示すような割当変更の情報を示す表示（以下適宜「割当変更表示」という。）を所定の表示時間だけ行う。利用者Ｕ２は、行先階インジケータ７３による割当変更表示によって割当変更を知り、Ａ号機のエレベータへ移動できる（図１６（ｃ））。
【００１４】
しかしながら、移動中の利用者Ｕ１は、Ｄ号機のエレベータのドア前にまだ到着していないため、行先階インジケータ７３の表示（図１６（ｂ））を見ることができない。利用者Ｕ１がＤ号機のエレベータのドア前に到着したときに（図１６（ｃ））、行先階インジケータ７３の割当変更表示の開始から上記所定の表示時間以上の時間が経過していると、図１６（ｄ）に示すように、割当変更表示はすでに消去されている。その結果、利用者Ｕ１は、自己の行先階が割り当てられていないＤ号機のエレベータに乗ってしまう等の不利益を被る可能性がある。本発明は、このような問題点を解決することを目的とする。以下に、本発明の一実施形態を説明する。
【００１５】
（実施形態１）
１．構成
１−１．概要
図１は、実施形態１に係るエレベータの群管理システムの構成を示すブロック図である。
【００１６】
エレベータの群管理システムは、制御装置１０、行先階登録装置２０−１，２０−２、行先階インジケータ３０Ａ〜３０Ｆ、エレベータ制御装置４０Ａ〜４０Ｆ、及びエレベータ６０Ａ〜６０Ｆを有する。エレベータの群管理システムは、エレベータ（Ａ号機〜Ｆ号機。以下適宜「号機」という）６０Ａ〜６０Ｆの走行を統合的に制御する。本実施形態では、行先階登録装置２０−１，２０−２及び行先階インジケータ３０Ａ〜３０Ｆは、ビルの１階、ロビー階などの所定階（以下、適宜「ｆ階」という）にそれぞれ配備されているものとする。
【００１７】
本例では、Ａ号機からＦ号機の６台のエレベータ６０Ａ〜６０Ｆが設けられている。各エレベータ（各号機）６０Ａ〜６０Ｆは、かご、巻上機（モータ）、釣合おもり、制御部等を有する。各エレベータ６０Ａ〜６０Ｆの各エレベータ制御装置４０Ａ〜４０Ｆは、制御装置１０からの制御信号に基づいて、巻上機（モータ）の動作等を制御することにより、かごの上昇、下降、停止等を制御する。
【００１８】
以下の説明において、行先階登録装置２０−１，２０−２を総称して「行先階登録装置２０」という場合がある。また、行先階インジケータ３０Ａ〜３０Ｆを総称して「行先階インジケータ３０」という場合がある。さらに、エレベータ制御装置４０Ａ〜４０Ｆを総称して「エレベータ制御装置４０」という場合がある。またさらに、エレベータ６０Ａ〜６０Ｆを総称して「エレベータ６０」という場合がある。
【００１９】
１−２．配置
図２（ａ）は、本実施形態に係るエレベータの群管理システムにおける、エレベータ、行先階登録装置、及び行先階インジケータの、エレベータホールＥＨにおける配置を示す図である。
【００２０】
各行先階登録装置２０−１，２０−２は、エレベータホールＥＨの入口の近傍に設置される。行先階登録装置２０−１は、Ａ号機〜Ｆ号機のエレベータ６０Ａ〜６０Ｆのドアからそれぞれ、図２（ａ）に示す所定の距離Ｄ１Ａ〜Ｄ１Ｆだけ離れた位置に位置する。行先階登録装置２０−２は、Ａ号機〜Ｆ号機のエレベータ６０Ａ〜６０Ｆのドアからそれぞれ、所定の距離だけ離れた位置に位置する。
【００２１】
図２（ｂ）は、エレベータホールＥＨにおける行先階インジケータ３０の配置を示す図である。行先階インジケータ３０Ａ〜３０Ｆはそれぞれ、エレベータ６０Ａ〜６０Ｆのドアの近傍に設置される。例えば、行先階インジケータ３０Ａ〜３０Ｆはそれぞれ、エレベータ６０Ａ〜６０Ｆのドア前で待機する利用者が、エレベータ６０Ａ〜６０Ｆに対応する行先階インジケータ３０Ａ〜３０Ｆを視認できる位置に設置される。本実施形態では一例として、行先階インジケータ３０Ａ〜３０Ｃはそれぞれ、図２（ｂ）に示すようにエレベータ６０Ａ〜６０Ｃのドア６１Ａ〜６１Ｃの上側の壁に設置される。同様に、行先階インジケータ３０Ｄ〜３０Ｆはそれぞれ、エレベータ６０Ｄ〜６０Ｆのドアの上側の壁に設置される（図示せず）。行先階インジケータ３０Ａ〜３０Ｆはエレベータ６０Ａ〜６０Ｆに１対１で対応し、制御装置１０による制御にしたがって、対応するエレベータ６０Ａ〜６０Ｆに割り当てられた行先階（以下適宜「割当行先階」という。）を示す表示を行う。例えば、行先階インジケータ３０Ａは、図２（ｂ）に示すように、対応するＡ号機のエレベータ６０Ａの割当行先階である１０階及び２５階を示す表示を行う。なお、行先階インジケータ３０は、エレベータ６０のドアの近傍であれば、ドアの上側に限らずドアの右側または左側などいかなる位置に設置されてもよい。これによって、エレベータのドア前で待機している利用者は、行先階インジケータ３０の表示内容を視認することができる。
【００２２】
１−３．制御装置の構成
制御装置１０は、行先階登録装置２０において利用者によって登録された行先階を複数のエレベータ６０Ａ〜６０Ｆのうちのいずれかのエレベータに割り当てる制御を行う。制御装置１０は、図１に示すように、制御部１１、記憶部１２、及び入出力インタフェース１３を備える。
【００２３】
制御部１１は、所定の制御を行う。記憶部１２は、プログラム、及び種々のデータを格納している。プログラムは、本実施形態の各種機能を実現するためのプログラムを含む。制御装置１０は、制御部１１が上記プログラムに基づいて種々のデータ等を利用して演算処理を行うことにより、後述する各種の機能を実現する。制御部１１は、例えばＣＰＵ、ＭＰＵ、またはＦＰＧＡで構成される。制御装置１０の機能は、ハードウェアとソフトウェアとの協働で実現されてもよいし、ハードウェア（電子回路）のみで実現されてもよい。
【００２４】
入出力インタフェース１３は、行先階登録装置２０、行先階インジケータ３０、及びエレベータ６０との間で各種信号を送受信するためのインタフェースである。入出力インタフェース１３は、制御部１１から出力される信号を所定の形式の信号に変換して出力する。また、入出力インタフェース１３は、行先階登録装置２０、行先階インジケータ３０、及びエレベータ６０から入力された信号を所定の形式の信号に変換して制御部１１に出力する。
【００２５】
１−４．行先階登録装置の構成
行先階登録装置２０は、利用者が行先階の登録を行うための装置である。図３（ａ）は、実施形態１に係るエレベータの群管理システムの行先階登録装置２０の構成を示すブロック図である。図３（ｂ）は、行先階登録装置２０の正面図である。
【００２６】
行先階登録装置２０は、制御部２１、記憶部２２、入出力インタフェース２３、表示部２４、及び操作部２５を有する。記憶部２２は、プログラム、及び種々のデータを格納している。プログラムは、本実施形態の各種機能を実現するためのプログラムを含む。データは、例えば、当該行先階登録装置２０の識別情報（ＩＤ）や設置階に関するデータを含む。制御部２１は、所定の制御を行う。行先階登録装置２０は、制御部２１が上記プログラムに基づいて種々のデータ等に対して演算処理を行うことにより、各種の機能を実現する。制御部２１は、例えばＣＰＵ、ＭＰＵ、またはＦＰＧＡで構成される。行先階登録装置２０の機能は、ハードウェアとソフトウェアとの協働で実現されてもよいし、ハードウェア（電子回路）のみで実現されてもよい。
【００２７】
入出力インタフェース２３は、制御装置１０との間で各種信号を送受信するためのインタフェースである。入出力インタフェース２３は、制御部２１から出力される信号を所定の形式の信号に変換して出力する。また、入出力インタフェース２３は、制御装置１０から入力された信号を所定の形式の信号に変換して制御部２１に出力する。
【００２８】
表示部２４は、制御部２１から出力される表示信号に基づく表示を行う。表示部２４は、例えば、液晶ディスプレイや有機ＥＬディスプレイで構成される。
【００２９】
操作部２５は、利用者が行先階を入力するためのインタフェースである。本実施形態では、操作部２５として、例えば、図３（ｂ）に示すように、テンキーを採用している。操作部２５は、操作部２５の操作内容に対応する操作信号を制御部２１に出力する。
【００３０】
表示部２４と操作部２５とは、タッチパネル式表示装置として一体的に形成されてもよい。
【００３１】
１−５．行先階インジケータの構成
行先階インジケータ３０は、エレベータの行先階等を表示する装置である。図４は、実施形態１に係るエレベータの群管理システムの行先階インジケータの構成を示すブロック図である。
【００３２】
行先階インジケータ３０は、制御部３１、記憶部３２、入出力インタフェース３３、及び表示部３４を有する。
【００３３】
制御部３１は、所定の制御を行う。記憶部３２は、プログラム、及び種々のデータを格納している。プログラムは、本実施形態の各種機能を実現するためのプログラムを含む。データは、例えば、当該行先階インジケータ３０の識別情報（ＩＤ）や設置階に関するデータを含む。行先階インジケータ３０は、制御部３１が上記プログラムに基づいて種々のデータ等利用して演算処理を行うことにより、各種の機能を実現する。制御部３１は、例えばＣＰＵ、ＭＰＵ、またはＦＰＧＡで構成される。行先階インジケータ３０の機能は、ハードウェアとソフトウェアとの協働で実現されてもよいし、ハードウェア（電子回路）のみで実現されてもよい。
【００３４】
入出力インタフェース３３は、制御装置１０との間で各種信号を送受信するためのインタフェースである。入出力インタフェース３３は、制御部３１から出力される信号を所定の形式の信号に変換して出力する。また、入出力インタフェース３３は、制御装置１０から入力された信号を所定の形式の信号に変換して制御部３１に出力する。
【００３５】
表示部３４は、制御部３１から出力される表示信号に基づく表示を行う。表示部３４は、例えば、液晶ディスプレイや有機ＥＬディスプレイで構成される。
【００３６】
２．動作
本実施形態に係るエレベータの群管理システムにおいて実行される動作について以下に説明する。
【００３７】
２−１．動作の概要
２−１−１．制御装置の動作
図５は、実施形態１に係るエレベータの群管理システムの制御装置１０の機能ブロック図である。制御装置１０は、エレベータの割当処理を実行する行先階呼び割当部１０ａと、割当変更を行う割当変更部１０ｂと、エレベータ制御装置４０を制御する運転制御部１０ｃと、の各機能を実現する。
【００３８】
行先階呼び割当部１０ａは、行先階登録装置２０で登録された行先階を、複数のエレベータ６０Ａ〜６０Ｆのうちのいずれかのエレベータに割り当てる。具体的に、行先階呼び割当部１０ａは、まず、行先階呼び割当要求信号を、行先階登録装置２０から入出力インタフェース１３を介して受信する。この行先階呼び割当要求信号は、行先階登録装置２０で登録された行先階を、複数のエレベータ６０Ａ〜６０Ｆのうちのいずれかのエレベータに割り当てることを要求する信号である。行先階呼び割当要求信号は、利用者によって登録された行先階を示す情報と、当該行先階が登録された階（出発階）を示す情報、および、当該行先階を登録する操作が行われた行先階登録装置２０−１または２０−２を識別する情報（ＩＤ）と、を示す信号である。行先階呼び割当部１０ａは、受信した行先階呼び割当要求信号が示す行先階を、エレベータ６０Ａ〜６０Ｆのうちのいずれかに割り当てる。
【００３９】
具体的には、行先階呼び割当部１０ａはまず、各エレベータの運行情報に基づいて、行先階を割り当てるべきエレベータ（割当号機）を選択するための評価値を、エレベータ毎に算出する。ここで、各エレベータの運行情報は、例えば、各エレベータのかご状態（かごの位置、走行方向、ドアの開閉状態、荷重等を含む）、予測される待ち時間（割当号機が出発階に到着するまでの時間）、予測されるサービス完了時間（割当号機が行き先階に到着するまでの時間）、かごの予定される停止回数（サービス完了までの間に予定されるエレベータの停止回数）などを示す情報を含む。上記評価値の算出後、行先階呼び割当部１０ａは、エレベータ６０Ａ〜６０Ｆのうちから最も高い評価値を有するエレベータを選択し、行先階を、選択したエレベータに割り当てる。行先階呼び割当部１０ａは、この他、一般的に知られている従来の方法を用いて行先階をいずれかのエレベータに割り当ててもよい。
【００４０】
図６は、所定階（ｆ階）の行先階呼び情報を記録した行先階呼びテーブル１２ｄ１を示す。所定階（ｆ階）の行先階呼び情報とは、所定階の行先階登録装置２０（２０−１または２０−２）で登録された行先階呼びの情報である。行先階呼びテーブル１２ｄ１は記憶部１２に記憶されている。行先階呼び割当部１０ａは、行先階をいずれかのエレベータに割り当てると、行先階の割当結果を示す行先階呼び情報を生成して行先階呼びテーブル１２ｄ１に追加する。各行先階呼び情報は、行先階呼び情報を識別する情報（呼び番号）と、利用者により登録された行先階を示す情報（行先階）と、当該行先階が割り当てられたエレベータを示す情報（割当号機）と、登録操作が行われた行先階登録装置２０−１または２０−２を識別する情報（行先階登録装置ＩＤ）と、行先階が割当号機に割り当てられたときの時刻を示す情報（割当時刻）とを含む。なお、制御装置１０は、割り当てた行先階呼びに基づく運転を実行後（サービス完了後）、行先階呼びテーブル１２ｄ１から、当該行先階呼びに係る行先階呼び情報を削除する。
【００４１】
図５に戻り、行先階呼び割当部１０ａはまた、行先階呼び割当要求信号の応答として、割当号機を示す情報を含む割当号機信号を、入出力インタフェース１３を介して、行先階の登録操作が行われた行先階登録装置２０（２０−１または２０−２）に出力する。また、行先階呼び割当部１０ａは、割当号機に割り当てられた行先階（割当行先階）を示す情報を含む割当行先階信号を、入出力インタフェース１３を介して、割当号機に対応する行先階インジケータ３０へ出力する。運転制御部１０ｃは、行先階呼び割当部１０ａによる割当処理の結果に基づいて、割当号機を出発階（ｆ階）から行先階まで走行させるための割当号機の運転を指示する運転指示信号をエレベータ制御装置４０に出力する。
【００４２】
割当変更部１０ｂは、割当行先階を、現在の割当号機から別の号機へ割当変更するか否かを判定する割当変更判定処理を実行する。割当変更判定処理において、割当変更部１０ｂは、所定の割当変更条件が成立するとき、割当行先階を、現在の割当号機から別の号機へ割当変更することを決定する。しかしながら、割当変更部１０ｂは、上記所定の割当変更条件が成立した場合でも、現在の割当号機へ移動中の利用者がいると判定したときは、割当行先階を、現在の割当号機から別の号機へ割当変更しないことを決定する。移動中の利用者の有無の判定は、行先階の割当時刻から所定の移動時間が経過したか否かに基づいて行われる。割当変更部１０ｂによる割当変更判定処理の詳細については後述する。割当変更を行うと決定した場合、割当変更部１０ｂは、割当行先階を、現在の割当号機から別の号機へ割当変更する。
【００４３】
割当変更部１０ｂは、割当変更の結果に応じて、図６に示す行先階呼びテーブル１２ｄ１を更新する。具体的に、割当変更部１０ｂは、割当変更の対象となった行先階呼びに係る行先階呼び情報において、割当号機を示す情報を、割当変更元の割当号機から、割当変更先の号機に変更する。
【００４４】
また、割当変更部１０ｂは、行先階と割当変更先の号機とを示す割当変更信号を、入出力インタフェース１３を介して、割当変更元の号機に対応する所定階（ｆ階）の行先階インジケータ３０に出力する。運転制御部１０ｃは、割当変更部１０ｂによる割当変更の結果に基づいて、割当変更元の割当号機の行先階への運転動作をキャンセルするとともに、割当変更先の号機の行先階への運転を指示する運転指示信号をエレベータ制御装置４０に出力する。
【００４５】
２−１−２．行先階登録装置の動作
行先階登録装置２０の制御部２１は、操作部２５から操作信号を受信すると、利用者による行先階の登録操作を受け付ける。制御部２１は、利用者により登録された行先階を示す情報と、当該行先階を登録する操作が行われた行先階登録装置２０を識別する情報とを示す行先階呼び割当要求信号を生成する。制御部２１は、生成した行先階呼び割当要求信号を、入出力インタフェース２３を介して、制御装置１０に出力する。
【００４６】
また、制御部２１は、上述の行先階呼び割当要求信号の応答として、制御装置１０（行先階呼び割当部１０ａ）から、割当号機を示す割当号機信号を受信する。制御部２１は、利用者によって登録された行先階と、割当号機信号が示す割当号機とを示す情報の表示を指示する表示信号を表示部２４に出力する。
【００４７】
表示部２４は、制御部２１から受信した表示信号にしたがって、利用者によって登録された行先階と、当該行先階の割当号機とを示す表示を行う。例えば、表示部２４は、図３（ｂ）に示すように、利用者により入力された行先階である３階が、Ｂ号機に割り当てられたことを示す表示を行う。これによって、行先階登録装置２０は、登録された行先階が、表示された割当号機に割り当てられたことを、利用者に報知する。
【００４８】
なお、制御部２１は、制御装置１０から割当号機信号を受信すると即座に、行先階と割当号機とを表示部２４に表示させる。そのため、表示部２４による行先階と割当号機の表示の時刻（すなわち行先階登録装置２０が割当号機を利用者に報知する時刻）は、行先階呼びテーブル１２ｄ１に含まれる行先階呼び情報における行先階の割当時刻と実質的に同一である。
【００４９】
２−１−３．行先階インジケータの動作
行先階インジケータ３０の制御部３１は、制御装置１０（行先階呼び割当部１０ａ）から出力された割当行先階信号を入出力インタフェース３３を介して受信すると、当該割当行先階信号が示す割当行先階を示す表示を指示する表示信号を表示部３４に出力する。
【００５０】
表示部３４は、制御部３１から受信した上記表示信号にしたがって、割当行先階を示す表示を行う。表示部３４による割当行先階の表示によって、行先階インジケータ３０は、表示された割当行先階が、当該行先階インジケータ３０に対応するエレベータ６０に割り当てられていることを、利用者に報知する。
【００５１】
また、制御部３１は、制御装置１０（割当変更部１０ｂ）から出力された割当変更信号を入出力インタフェース３３を介して受信すると、当該割当変更信号が示す行先階と割当変更先の号機とを示す表示を指示する表示信号を表示部３４に出力する。表示部３４は、受信した表示信号にしたがって、行先階と割当変更先の号機とを示す表示を行う。これによって、行先階インジケータ３０は、行先階が、当該行先階インジケータ３０に対応するエレベータ（割当変更元の号機）から別のエレベータに割当変更されたことを、利用者に報知する。
【００５２】
２−１−４．エレベータ制御装置の動作
エレベータ制御装置４０Ａ〜４０Ｆ（図１）はそれぞれ、上述のように運転制御部１０ｃから出力される運転指示信号にしたがって、対応するエレベータ６０Ａ〜６０Ｆを駆動制御する。また、エレベータ制御装置４０Ａ〜４０Ｆはそれぞれ、対応するエレベータ６０Ａ〜６０Ｆのかごの位置、走行方向、ドアの開閉状態、荷重等を含むかご状態を検知する。各エレベータ制御装置４０Ａ〜４０Ｆは、検知したかご状態を示す情報を含むかご状態信号を、制御装置１０（行先階呼び割当部１０ａ及び割当変更部１０ｂ）に出力する。
【００５３】
２−２．割当変更判定処理の詳細
本実施形態に係る割当変更判定処理について以下詳細に説明する。
【００５４】
図７は、制御装置１０による、所定階（ｆ階）についての割当変更判定処理の流れを示すフローチャートである。制御装置１０（割当変更部１０ｂ）は、割当変更判定処理を、所定の時間間隔（たとえば１秒間隔）で実行する。
【００５５】
図７のフローチャートに示す割当変更判定処理において、制御装置１０（制御部１１）はまず、割当号機（エレベータ）のかご番号ｘを初期値の１に設定する（Ｓ１）。以下の説明において、１号機〜６号機はそれぞれＡ号機〜Ｆ号機を指す。
【００５６】
次いで、制御装置１０は、行先階呼びテーブル１２ｄ１（図６）を参照することによって、ｘ号機が割当行先階を持つか否か、すなわち１つ以上の行先階がｘ号機に割り当てられているか否かを判定する（Ｓ２）。ｘ号機が割当行先階を持たない場合（Ｓ２でＮＯ）、制御装置１０は、かご番号ｘが所定数Ｍに等しい（ｘ＝Ｍ）か否かを判定する（Ｓ１７）。ここで、所定数Ｍはエレベータの基数を表す。本実施形態ではエレベータの群管理システムは６台のエレベータ（Ａ号機〜Ｆ号機）を有するため、所定数Ｍは６にあらかじめ設定されている（Ｍ＝６）。かご番号ｘが所定数Ｍに等しいとき（Ｓ１７でＹＥＳ）、すなわち全てのエレベータについて割当変更判定が終了した場合、制御装置１０は、このフローチャートによる割当変更判定処理を終了する。かご番号ｘが所定数Ｍに等しくない（ｘ≠Ｍ）とき（Ｓ１７でＮＯ）、かご番号ｘに１を加算し（Ｓ１８）、次の号機であるｘ号機が割当行先階を持つか否かの判定処理（Ｓ２）を実行する。
【００５７】
ｘ号機が割当行先階を持つとき（Ｓ２でＹＥＳ）、制御装置１０は、ｘ号機の全ての割当行先階のうちで、最も古い割当時刻を有する割当行先階ｄを示す情報を取得する。具体的には、制御装置１０は、行先階呼びテーブル１２ｄ１（図６）を参照して、割当号機がｘ号機である行先階呼び情報のうちで、最も古い割当時刻を有する行先階呼び情報が示す割当行先階ｄの値を取得する（Ｓ３）。
【００５８】
次いで、制御装置１０は、ｘ号機についての予測待ち時間Ｔｗ１を予測して、この予測待ち時間Ｔｗ１が所定時間Ｃ１以上（Ｔｗ１≧Ｃ１）であるか否かを判定する処理を実行する（Ｓ４）。具体的に、制御装置１０は、かご状態を示す情報、行先階呼びテーブル１２ｄ１等の種々の情報に基づいて、ｘ号機のｆ階（出発階）への到着時刻（以下、「第１の予測到着時刻」という。）を予測する。次いで、制御装置１０は、第１の予測到着時刻と、行先階呼び情報が示す上記割当行先階ｄの割当時刻との間の時間差である予測待ち時間Ｔｗ１を算出する。そして、制御装置１０は、算出された予測待ち時間Ｔｗ１が所定時間Ｃ１以上（Ｔｗ１≧Ｃ１）であるとの条件（以下、「第１の割当変更条件」という。）が成立するか否かを判定する。
【００５９】
第１の割当変更条件（Ｔｗ１≧Ｃ１）が成立したことは、ｘ号機の長待ちが発生していることを示す。所定時間Ｃ１は、ｘ号機の待ち時間が長引くことによってサービス性が低下する待ち時間（例えば利用者が待機中にストレスを感じ始める待ち時間）に設定される。所定時間Ｃ１は、例えば６０秒にあらかじめ設定されている。所定時間Ｃ１はこれに限らず、６０秒未満の時間に設定されてもよく、または６０秒よりも大きな時間に設定されてもよい。
【００６０】
ｘ号機についての予測待ち時間Ｔｗ１が所定時間Ｃ１以上でないとき（Ｔｗ１＜Ｃ１）（Ｓ４でＮＯ）、つまり、ｘ号機の長待ちが発生していないとき、制御装置１０は、ｘ号機のいずれの割当行先階も、ｘ号機から別の号機に割当変更しないと決定する（Ｓ１３）。この場合、ｘ号機に対応する行先階インジケータ３０は、ｘ号機の現在の割当行先階を示す表示を継続している。ステップＳ１３の処理を終了すると制御装置１０はさらに、前述したステップＳ１７以降の処理を実行する。
【００６１】
一方、ｘ号機についての予測待ち時間Ｔｗ１が所定時間Ｃ１以上（Ｔｗ１≧Ｃ１）であるとき（Ｓ４でＹＥＳ）、制御装置１０は、割当変更先候補のエレベータ（割当変更先候補号機）のかご番号ｙを初期値の１に設定する（Ｓ５）。次いで、制御装置１０は、かご番号ｙがかご番号ｘと等しいか否か（ｙ＝ｘ）、すなわち割当変更先候補号機のｙ号機と割当変更元のｘ号機とが等しいか否かを判定する（Ｓ６）。
【００６２】
かご番号ｙとかご番号ｘとが等しい場合（Ｓ６でＹＥＳ）、制御装置１０は、ステップＳ７の判定を行い、割当変更先候補号機のかご番号ｙが所定数Ｍではないとき（Ｓ７でＮＯ）にはかご番号ｙに１を加算し（Ｓ８）、かご番号ｙがかご番号ｘと等しいか否かを再び判定する（Ｓ６）。また、かご番号ｙがかご番号ｘと等しく（Ｓ６でＹＥＳ）、且つ、かご番号ｙが所定数Ｍである（ｙ＝Ｍ）とき（Ｓ７でＹＥＳ）、制御装置１０は、ｘ号機のいずれの割当行先階も、ｘ号機から別の号機に割当変更しないことを決定する（Ｓ１３）。ステップＳ１３の処理を終了すると、制御装置１０は、前述したステップＳ１７以降の処理を実行する。
【００６３】
かご番号ｙとかご番号ｘとが等しくない場合（Ｓ６でＮＯ）、制御装置１０は、割当行先階ｄをｘ号機からｙ号機に仮に割当変更した場合における、ｙ号機についての予測待ち時間Ｔｗ２を予測し、この予測待ち時間Ｔｗ２が所定時間Ｃ２未満（Ｔｗ２＜Ｃ２）であるか否かを判定する処理を実行する（Ｓ９）。具体的に、制御装置１０は、割当行先階ｄをｘ号機からｙ号機に仮に割当変更し、かご状態を示す情報、行先階呼びテーブル１２ｄ１等の種々の情報に基づいて、ｙ号機のｆ階（出発階）への到着時刻（以下、「第２の予測到着時刻」という。）を予測する。次いで、制御装置１０は、第２の予測到着時刻と、行先階呼び情報が示す上記割当行先階ｄの割当時刻との間の時間差である予測待ち時間Ｔｗ２を算出する。そして、制御装置１０は、算出された予測待ち時間Ｔｗ２が所定時間Ｃ２未満（Ｔｗ２＜Ｃ２）であるとの条件（以下、「第２の割当変更条件」という。）が成立するか否かを判定する。
【００６４】
第２の割当変更条件（Ｔｗ２＜Ｃ２）が成立したことは、割当行先階ｄをｘ号機からｙ号機へ割当変更することによって、号機の長待ちの状態が解消されることを示す。所定時間Ｃ２は、割当変更によってエレベータの待ち時間が短縮してサービス性が改善される待ち時間（例えば利用者が待機中にストレスを感じない待ち時間）に設定される。所定時間Ｃ２は例えば、３０秒にあらかじめ設定されている。所定時間Ｃ２は、所定時間Ｃ１未満であればこれに限らず、３０秒未満の時間に設定されてもよく、または３０秒よりも大きい時間に設定されてもよい。
【００６５】
ｙ号機についての予測待ち時間Ｔｗ２が所定時間Ｃ２未満でないとき（Ｔｗ２≧Ｃ１）（Ｓ９でＮＯ）、制御装置１０は、前述したステップＳ７以降の処理を実行する。
【００６６】
一方、ｙ号機についての予測待ち時間Ｔｗ２が所定時間Ｃ２未満（Ｔｗ２＜Ｃ２）であるとき（Ｓ９でＹＥＳ）、制御装置１０は、行先階呼びテーブル１２ｄ１を参照して、ｘ号機の全ての割当行先階を示す情報を取得する（Ｓ１０）。以下の説明では、制御装置１０は、ｘ号機の全ての割当行先階として、ステップＳ１０において、Ｎ個（Ｎは正整数）の割当行先階ｄ１，ｄ２，…，ｄＮを示す情報を取得したものとする。次いで、制御装置１０は、割当行先階の行先階番号ｉ（ｉは１以上Ｎ以下の整数（１≦ｉ≦Ｎ））を、初期値の１に設定する（Ｓ１１）。
【００６７】
次いで、制御装置１０は、行先階登録装置２０（２０−１または２０−２）で割当行先階ｄｉを登録した利用者のうち、当該登録が行われた行先階登録装置２０の設置位置（移動開始位置）から、ｘ号機（現在の割当号機）のドア前へ移動中の利用者がいるか否かの判定処理を実行する（Ｓ１２）。なお、ステップＳ１２についての以下の説明においては、一例として、現在の割当号機はＡ号機（ｘ＝１）であり、且つ、割当行先階ｄｉを登録するための操作は行先階登録装置２０−１に対して行われたものとする。
【００６８】
ステップＳ１２の判定処理は次のようにして行う。制御装置１０はまず、行先階登録装置２０−１で割当行先階ｄｉの登録操作を行った利用者のＡ号機への推定到着時刻ＴＡｉを算出する。すなわち、制御装置１０はまず、行先階呼びテーブル１２ｄ１に基づいて、割当行先階ｄｉの割当時刻Ｔｉを示す情報を取得する。この割当時刻Ｔｉは、行先階ｄｉのＡ号機への割り当てが行先階登録装置２０−１により利用者に報知された時刻と実質的に同一である。したがって、この割当時刻Ｔｉは、利用者が行先階登録装置２０−１からＡ号機のドア前に向かって移動を開始した時刻であるとみなすことができる。制御装置１０はまた、行先階呼びテーブル１２ｄ１を参照して、Ａ号機の割当行先階ｄｉを登録するための操作が行われた行先階登録装置２０−１を特定する。
【００６９】
次いで、制御装置１０は、移動時間テーブル１２ｄ２を参照する。移動時間テーブル１２ｄ２は、図８に示すように、移動開始位置である各行先階登録装置（２０−１，２０−２）から、各エレベータ（Ａ号機〜Ｆ号機）までの標準的な移動時間を記録したテーブルである。移動時間テーブル１２ｄ２は、記憶部１２にあらかじめ記憶されている。
【００７０】
制御装置１０は、移動時間テーブル１２ｄ２を参照することによって、利用者の所定移動時間として、移動開始位置である行先階登録装置２０−１の設置位置からＡ号機のドア前までの標準的な移動時間ＴＰ１Ａを示す情報を取得する。そして、制御装置１０は、割当時刻Ｔｉに移動時間ＴＰ１Ａを加算して得られる時刻Ｔｉ＋ＴＰ１Ａを、利用者のＡ号機への推定到着時刻ＴＡｉとする。この推定到着時刻ＴＡｉは、利用者が割当時刻Ｔｉに行先階登録装置２０−１を出発して標準的な移動速度で移動した場合における、利用者がＡ号機のドア前に到着すると推定される時刻である。そして、制御装置１０は、現在時刻が推定到着時刻ＴＡｉよりも前（ＴＡｉ＞（現在時刻））であるか否かを判定する。言い換えると、制御装置１０は、割当時刻Ｔｉから所定移動時間ＴＰ１Ａよりも長い時間が経過したか否かを判定する。
【００７１】
上述のステップＳ１２の処理についての説明では、一例として、かご番号ｘが１（ｘ＝１）すなわち現在の割当号機がＡ号機であり、且つ、割当行先階ｄｉを登録するための操作が行先階登録装置２０−１に対して行われたと仮定した。この場合に限らず、かご番号ｘが２，３，…，または６（Ｂ号機、Ｃ号機、…、Ｆ号機）であり、且つ、割当行先階ｄｉを登録するための操作が行先階登録装置２０−１に対して行われる場合もある。この場合、制御装置１０は、ステップＳ１２において、割当時刻Ｔｉに、移動時間テーブル１２ｄ２に示される移動時間ＴＰ１Ｂ，ＴＰ１Ｃ，…，またはＴＰ１Ｆを加算して得られる時刻を、利用者のｘ号機への推定到着時刻ＴＡｉとして算出する。また、かご番号ｘが１，２，…，または６であり、且つ、割当行先階ｄｉを登録するための操作が行先階登録装置２０−２に対して行われる場合もある。この場合、制御装置１０は、ステップＳ１２において、割当時刻Ｔｉに、移動時間テーブル１２ｄ２に示される移動時間ＴＰ２Ａ，ＴＰ２Ｂ，…，またはＴＰ２Ｆを加算して得られる時刻を、利用者のｘ号機への推定到着時刻ＴＡｉとする。
【００７２】
制御装置１０は、現在時刻が、上述のように算出した推定到着時刻ＴＡｉよりも前（ＴＡｉ＞（現在時刻））であると判定した場合、割当行先階ｄｉを登録した利用者が、登録操作が行われた行先階登録装置２０からｘ号機のドア前へ移動中であると判定する（Ｓ１２でＹＥＳ）。この場合、制御装置１０は、ｘ号機については割当変更を行わない、すなわちｘ号機のいずれの割当行先階ｄ１，ｄ２，…，ｄＮもｘ号機からｙ号機に割当変更しないと決定する（Ｓ１３）。この場合、ｘ号機に対応する行先階インジケータ３０は、ｘ号機の現在の割当行先階ｄ１，ｄ２，…，ｄＮを示す表示を継続している。
【００７３】
一方、現在時刻が推定到着時刻ＴＡｉよりも前ではない（ＴＡｉ≦（現在時刻））と判定した場合、制御装置１０は、割当行先階ｄｉを登録した利用者が、登録操作が行われた行先階登録装置２０からｘ号機のドア前へ移動中でないと判定する（Ｓ１２でＮＯ）。
【００７４】
ステップＳ１２において移動中の利用者がいないと判定した場合（Ｓ１２でＮＯ）、制御装置１０はさらに、行先階番号ｉが、ｘ号機の割当行先階ｄ１〜ｄＮの個数Ｎと等しい（ｉ＝Ｎ）か否かを判定する（Ｓ１４）。行先階番号ｉがｘ号機の割当行先階ｄ１〜ｄＮの個数Ｎと等しい（ｉ＝Ｎ）場合（Ｓ１４でＹＥＳ）、制御装置１０は、ｘ号機の全ての割当行先階ｄ１，ｄ２，…，ｄＮをｘ号機からｙ号機に割当変更することを決定する（Ｓ１６）。なお、行先階番号ｉがｘ号機の割当行先階ｄ１〜ｄＮの数Ｎと等しい（ｉ＝Ｎ）と判定された場合（Ｓ１４でＹＥＳ）、ｘ号機の割当行先階ｄ１〜ｄＮのいずれかを登録した全ての利用者は移動を既に終えており、したがってこれら全ての利用者はｘ号機のドア前にいることが推定される。このような場合に、制御装置１０は、ｘ号機の全ての割当行先階ｄ１，ｄ２，…，ｄＮをｘ号機からｙ号機に割当変更することを決定する（Ｓ１６）。この場合、ｘ号機に対応する行先階インジケータ３０は、この割当変更処理の実行の後、ｙ号機に割当変更されたことを示す表示を行う。
【００７５】
制御装置１０はまた、ステップＳ１６において、この割当変更判定処理の実行後に実際に割当変更を行うために、割当変更データとして、ｘ号機（割当変更元の号機）と、ｙ号機（割当変更先の号機）と、割当行先階ｄ１〜ｄＮ（割当変更対象の行先階）とを示すデータを、記憶部１２に格納する。
【００７６】
一方、行先階番号ｉがｘ号機の割当行先階ｄ１〜ｄＮの個数Ｎと等しくない（ｉ≠Ｎ）場合（Ｓ１４でＮＯ）、制御装置１０は、行先階番号ｉに１を加算し（Ｓ１５）、上述のステップＳ１２以降の処理を繰り返す。
【００７７】
ステップＳ１３またはＳ１６の処理を終えると、制御装置１０は、上述のステップＳ１７以降の処理を実行する。制御装置１０は、かご番号ｘが所定数Ｍに等しくない（ｘ≠Ｍ）とき（Ｓ１７でＮＯ）、上述のステップＳ１８以降の処理を実行する一方、かご番号ｘが所定数Ｍに等しいとき（Ｓ１７でＹＥＳ）、本フローチャートによる割当変更判定処理を終了する。
【００７８】
割当変更判定処理を以上のように実行した後、制御装置１０（割当変更部１０ｂ）は、ステップＳ１６において記憶部１２に記憶された割当変更データにしたがって、割当変更対象の行先階を、割当変更元の号機から割当変更先の号機に割当変更する。また、制御装置１０（割当変更部１０ｂ）は、割当変更データにしたがって、割当変更信号を、割当変更が行われた号機に対応する所定階（ｆ階）のインジケータ３０に出力して、インジケータ３０に割当変更を示す表示を行わせる。
【００７９】
図９は、実施形態１に係る割当変更判定処理に基づいで行われる行先階インジケータの表示の例を示す図である。例えば、３人の利用者がそれぞれ、行先階登録装置２０−１で行先階として５階、１０階、及び１２階を登録し、これらの行先階がＤ号機（ｘ＝４）のエレベータに割り当てられる。このとき、Ｄ号機の行先階インジケータ３０Ｄは、図９（ａ）に示すように、Ｄ号機の割当行先階（５階，１０階，１２階）を示す表示を行う。割当変更判定処理において、制御装置１０は、割当行先階（５階、１０階、及び１２階）を登録した上記３人の利用者の推定到着時刻ＴＡ１、ＴＡ２、ＴＡ３を計算して、これらの利用者が移動中であるか否かを判定する。
【００８０】
例えば、割当変更判定処理の実行時刻（現在時刻）が、いずれの推定到着時刻ＴＡ１，ＴＡ２，ＴＡ３よりも後である場合がある。この場合、３人の利用者はいずれもＤ号機のエレベータのドア前に到着していると推定される。したがって、３人の利用者はいずれも行先階インジケータ３０Ｄの表示を視認できる状態にあると推測される。この場合、所定の割当変更条件（第１及び第２の割当変更条件）が成立した場合、Ｄ号機の全ての割当行先階（５階，１０階，１２階）は、Ｄ号機から例えばＡ号機に割当変更される。制御装置１０は、割当変更に伴い、図９（ｂ）に示すように、行先階インジケータ３０Ｄに、割当行先階（５階，１０階，１２階）がＤ号機からＡ号機に割当変更されたことを示す表示を行わせる。したがって、３人の利用者は、行先階インジケータ３０Ｄによる割当変更の報知によって、各利用者の割当行先階がＤ号機からＡ号機に割当変更されたことを知ることができる。
【００８１】
これに対し、例えば、割当変更判定処理の実行時刻（現在時刻）が、５階及び１０階をそれぞれ登録した利用者の推定到着時刻ＴＡ１，ＴＡ２よりも前であり、且つ、１２階を登録した利用者の推定到着時刻ＴＡ３よりも後である場合がある。この場合、５階及び１０階をそれぞれ登録した２人の利用者は移動中であると推定される。したがって、これら２人の利用者は行先階インジケータ３０Ｄの表示を視認できない状態にあると推測される。この場合、所定の割当変更条件（第１及び第２の割当変更条件）が成立した場合であっても、Ｄ号機のいずれの割当行先階（５階，１０階，１２階）も、Ｄ号機から別の号機に割当変更されない。Ｄ号機の割当行先階は５階，１０階，及び１２階のままであるため、行先階インジケータ３０Ｄは、これらの割当行先階を示す表示（図９（ａ））を継続する。
【００８２】
したがって、所定の割当変更条件が成立したときであっても、ある号機へ移動中の利用者がいる間、その号機については割当変更は行われない。つまり、利用者が移動中であって割当変更を知ることができない場合、割当変更は行われない。よって、割当変更によって利用者の利便性が損なわれることが抑制される。
【００８３】
３．まとめ
以上のように、本実施形態に係るエレベータの群管理システムは、
利用者による行先階の登録のための行先階登録装置２０と、利用者によって登録された行先階を複数のエレベータ６０Ａ〜６０Ｆのうちのいずれかのエレベータ（割当号機）に割り当て、その後に、所定の割当変更条件（第１及び第２の割当変更条件）が成立したときに、登録された割当行先階を、割り当てたエレベータ（ｘ号機）から、別のエレベータ（ｙ号機）に割当変更する制御装置１０と、を備える。
制御装置１０は、割り当てたエレベータ（ｘ号機）へ移動中の利用者がいるか否かを判定し、割り当てたエレベータ（ｘ号機）へ移動中の利用者がいると判定したときは、所定の割当変更条件（第１及び第２の割当変更条件）が成立した場合でも、登録された行先階（割当行先階ｄｉ）を、割り当てたエレベータ（ｘ号機）から別のエレベータ（ｙ号機）に割当変更しない。
【００８４】
これによって、割り当てたエレベータ（ｘ号機）へ移動中の利用者がいると推定されるとき、所定の割当変更条件（第１及び第２の割当変更条件）が成立した場合であっても、行先階（割当行先階ｄｉ）は、割り当てたエレベータ（ｘ号機）から別のエレベータ（ｙ号機）に割当変更されない。したがって、割当変更によって利用者の利便性が損なわれることが抑制される。
【００８５】
また、本実施形態では、
エレベータの群管理システムは、割り当てたエレベータを示す情報を報知する行先階インジケータ３０をさらに備える。
制御装置１０は、登録された行先階（割当行先階ｄｉ）を、割り当てたエレベータ（ｘ号機）から別のエレベータ（ｙ号機）に割当変更したとき、報知部である行先階インジケータ３０に当該別のエレベータ（ｙ号機）を示す情報を報知させる。
【００８６】
これによって、割当変更が行われたことを利用者に報知することができる。そのため、利用者は、移動を終えて割り当てたエレベータ（ｘ号機）に到着した後に、行先階インジケータ３０の表示によって、当該利用者が登録した割当行先階ｄｉが別のエレベータ（ｙ号機）に割当変更されたことを知ることができる。そのため、割当変更によって利用者の利便性が損なわれることを一層良好に抑制することができる。
【００８７】
また、本実施形態では、
制御装置１０は、割り当てたエレベータ（ｘ号機）に複数の行先階が登録されている場合において、所定の割当変更条件（第１及び第２の割当変更条件）が成立した場合でも、登録されている行先階のうち少なくとも一の行先階に係る利用者が当該割り当てたエレベータへ移動中であると判定したときは、登録されている全ての行先階（割当行先階ｄ１，ｄ２，…，ｄＮ）を別のエレベータ（ｙ号機）に割当変更しない。
【００８８】
これによって、行先階が割り当てられているエレベータ（ｘ号機）に、行先階ｄｉを登録した利用者が移動中であると推定されるときは、登録されている全ての行先階（割当行先階ｄ１，ｄ２，…，ｄＮ）について割当変更は行われない。利用者によって割当変更の有無が異なると、利用者が困惑する可能性があるが、これが防止される。
【００８９】
また、本実施形態では、
制御装置１０は、行先階（割当行先階ｄ）を割り当てたエレベータ（割当号機、ｘ号機）に割り当てた割当時刻から、行先階登録装置２０（２０−１または２０−２）から割り当てたエレベータ（ｘ号機）への所定移動時間（ＴＰ１Ａ〜ＴＰ１Ｆ、ＴＰ２Ａ〜ＴＰ２Ｆ）よりも長い時間が経過したか否かを判定する。
制御装置１０は、行先階（割当行先階ｄ）を割り当てたエレベータ（ｘ号機）に割り当てた割当時刻から、所定移動時間（ＴＰ１Ａ〜ＴＰ１Ｆ、ＴＰ２Ａ〜ＴＰ２Ｆ）よりも長い時間が経過していない場合、割り当てたエレベータ（ｘ号機）へ移動中の利用者がいると判定する。
また、制御装置１０は、行先階（割当行先階ｄ）を割り当てたエレベータ（ｘ号機）に割り当てた割当時刻から、所定移動時間（ＴＰ１Ａ〜ＴＰ１Ｆ、ＴＰ２Ａ〜ＴＰ２Ｆ）よりも長い時間が経過している場合、割り当てたエレベータ（ｘ号機）へ移動中の利用者がいないと判定する。
【００９０】
これによって、行先階登録装置２０から割当号機（ｘ号機）のドア前へ移動中の利用者の有無を、所定移動時間に基づいて、簡単に判定可能である。
【００９１】
また、本実施形態では、所定の割当変更条件は第１の割当変更条件を含む。
すなわち、所定の割当変更条件は、登録された行先階（割当行先階ｄ）がｘ号機に割り当てられた割当時刻から、割り当てたエレベータ（ｘ号機）が、行先階登録装置２０が設置された登録階（ｆ階）に到着するときまでの、利用者の待ち時間が所定時間（所定時間Ｃ１）以上であることを含む。
【００９２】
これによって、利用者の待ち時間が所定時間Ｃ１以上となってサービス性が低下する恐れがある場合に割当変更が行われることによって、利用者の待ち時間の短縮が可能となり、ユーザの利便性が向上する。
【００９３】
また、本実施形態では、所定の割当変更条件は第２の割当変更条件を含む。
すなわち、所定の割当変更条件は、登録された行先階（割当行先階ｄ）がｘ号機に割り当てられた割当時刻から、登録された行先階（割当行先階ｄ）を別のエレベータ（ｙ号機）に仮に割当変更した場合における、当該別のエレベータ（ｙ号機）が、行先階登録装置２０が設置された登録階（ｆ階）に到着するときまでの、利用者の待ち時間が第２の所定時間（所定時間Ｃ２）未満であることを含む。
【００９４】
これによって、利用者の待ち時間が所定時間Ｃ２未満となってサービス性が改善されることが期待される場合に割当変更が行われることによって、利用者の待ち時間の短縮が可能となり、ユーザの利便性が向上する。例えば、所定時間Ｃ２は所定時間Ｃ１未満の値となるように設定可能である。
【００９５】
（実施形態２）
本発明の実施形態２に係るエレベータの群管理システムについて、図面を参照して説明する。なお、実施形態１との相違点を中心として説明する。
【００９６】
１．構成
実施形態１に係るエレベータの群管理システムでは、制御装置１０は、ある号機に対して割当変更を行う場合、その号機の全ての割当行先階（ｄ１，ｄ２，・・・，ｄＮ）を、別の号機に割当変更する。これに対して、実施形態２に係るエレベータの群管理システムでは、制御装置１０は、割当行先階ｄｉ毎に割当変更を行う（１≦ｉ≦Ｎ）。
【００９７】
２．動作
２−１．割当変更判定処理
図１０は、実施形態２に係る、所定階の割当変更判定処理の流れを示すフローチャートである。本フローチャートのステップＳ２１、Ｓ２２、Ｓ２３、Ｓ２４、Ｓ３６、及びＳ３７ではそれぞれ、実施形態１の図７のフローチャートに示すステップＳ１、Ｓ２、Ｓ１０、Ｓ１１、Ｓ１７、及びＳ１８と同一の処理が行われる。
【００９８】
図１０のフローチャートに示される割当変更判定処理において、制御装置１０は、行先階番号ｉを初期値の１に設定した後（Ｓ２４）、ステップＳ２５の判定処理を実行する。ステップＳ２５において、制御装置１０は、ｘ号機についての予測待ち時間Ｔｗ３を予測し、この予測待ち時間Ｔｗ３が所定時間Ｃ１以上（Ｔｗ３≧Ｃ１）であるか否かを判定する処理を実行する（Ｓ２５）。具体的に、制御装置１０は、かご状態を示す情報、行先階呼びテーブル１２ｄ１等の種々の情報に基づいて、ｘ号機のｆ階（出発階）への到着時刻（以下、「第３の予測到着時刻」という。）を予測する。次いで、制御装置１０は、第３の予測到着時刻と、行先階呼び情報が示す割当行先階ｄｉの割当時刻との間の時間差である予測待ち時間Ｔｗ３を算出する。そして、制御装置１０は、算出された予測待ち時間Ｔｗ３が所定時間Ｃ１以上（Ｔｗ３≧Ｃ１）であるとの判定条件（以下、「第３の割当変更条件」という。）が成立するか否かを判定する。
【００９９】
ｘ号機についての予測待ち時間Ｔｗ３が所定時間Ｃ１以上でないとき（Ｔｗ３＜Ｃ１）（Ｓ２５でＮＯ）、制御装置１０は、割当行先階ｄｉを、ｘ号機から別の号機に割当変更しないと決定する（Ｓ３２）。このように、割当行先階ｄｉを登録した利用者の、ｘ号機の長待ちが発生していないとき（Ｓ２５でＮＯ）、割当行先階ｄｉについては割当変更を行わないと決定される。
【０１００】
一方、ｘ号機についての予測待ち時間Ｔｗ３が所定時間Ｃ１以上（Ｔｗ３≧Ｃ１）であるとき（Ｓ２５でＹＥＳ）、制御装置１０は、割当変更先候補のエレベータ（割当変更先候補号機）のかご番号ｙを初期値の１に設定する（Ｓ２６）。次いで、制御装置１０は、かご番号ｙがかご番号ｘと等しいか否か（ｙ＝ｘ）、すなわち割当変更先候補号機のｙ号機と割当変更元のｘ号機とが等しいか否かを判定する（Ｓ２７）。
【０１０１】
かご番号ｙとかご番号ｘとが等しい場合（Ｓ２７でＹＥＳ）、制御装置１０は、割当変更先候補号機のかご番号ｙが所定数Ｍと等しいか否かを判定する。
【０１０２】
割当変更先候補号機のかご番号ｙが所定数Ｍと等しくないとき（Ｓ２８でＮＯ）、制御装置１０は、ご番号ｙに１を加算し（Ｓ２９）、上記ステップＳ２７においてかご番号ｙとかご番号ｘとが等しいか否かを再び判定する。
【０１０３】
これに対し、かご番号ｙが所定数Ｍと等しい（ｙ＝Ｍ）とき（Ｓ２８でＹＥＳ）、制御装置１０は、割当行先階ｄｉを、ｘ号機から別の号機に割当変更しないことを決定する（Ｓ３２）。
【０１０４】
一方、上記ステップＳ２７においてかご番号ｙとかご番号ｘとが等しくない場合（Ｓ２７でＮＯ）、制御装置１０は、割当行先階ｄｉをｘ号機からｙ号機に仮に割当変更した場合における、ｙ号機についての予測待ち時間Ｔｗ４を予測し、この予測待ち時間Ｔｗ４が所定時間Ｃ２未満（Ｔｗ４＜Ｃ２）であるか否かを判定する処理を実行する（Ｓ３０）。具体的に、制御装置１０は、割当行先階ｄｉをｘ号機からｙ号機に仮に割当変更して、かご状態を示す情報、行先階呼びテーブル１２ｄ１に記録された情報等の種々の情報に基づいて、ｙ号機のｆ階（出発階）への到着時刻（以下、「第４の予測到着時刻」という。）を予測する。次いで、制御装置１０は、第４の予測到着時刻と、行先階呼び情報が示す上記割当行先階ｄｉの割当時刻との間の時間差である予測待ち時間Ｔｗ４を算出する。そして、制御装置１０は、算出された予測待ち時間Ｔｗ４が所定時間Ｃ２未満（Ｔｗ４＜Ｃ２）であるとの条件（以下、「第４の割当変更条件」という。）が成立するか否かを判定する。
【０１０５】
ｙ号機についての予測待ち時間Ｔｗ４が所定時間Ｃ２未満でないとき（Ｔｗ４≧Ｃ１）（Ｓ３０でＮＯ）、制御装置１０は、前述したステップＳ２８以降の処理を実行する。
【０１０６】
一方、ｙ号機についての予測待ち時間Ｔｗ４が所定時間Ｃ２未満（Ｔｗ４＜Ｃ２）であるとき（Ｓ３０でＹＥＳ）、制御装置１０は、行先階登録装置２０（２０−１または２０−２）で割当行先階ｄｉを登録した利用者のうち、当該登録が行われた行先階登録装置２０の設置位置から、ｘ号機（現在の割当号機）のドア前へ移動中の利用者がいるか否かの判定処理を実行する（Ｓ３１）。
【０１０７】
ステップＳ３１の判定処理は次のように行う。制御装置１０は、利用者のｘ号機への推定到着時刻ＴＡｉを、実施形態１に係る割当変更判定処理のステップＳ１２の処理と同様の方法で算出する。そして、制御装置１０は、現在時刻が推定到着時刻ＴＡｉよりも前（ＴＡｉ＞（現在時刻））であるか否かを判定する。言い換えると、制御装置１０は、割当時刻Ｔｉから所定移動時間（図８）よりも長い時間が経過したか否かを判定する。
【０１０８】
現在時刻が、算出した推定到着時刻ＴＡｉよりも前（ＴＡｉ＞（現在時刻））であると判定した場合、制御装置１０は、割当行先階ｄｉを登録した利用者が、登録が行われた行先階登録装置２０からｘ号機のドア前へ移動中であると判定する（Ｓ３１でＹＥＳ）。そこで、この場合、制御装置１０は、ｘ号機の割当行先階ｄｉを、ｘ号機からｙ号機に割当変更しないと決定する（Ｓ３２）。この場合、ｘ号機に対応する行先階インジケータ３０は、行先階ｄｉがｘ号機の割当行先階であることを示す表示を継続している。
【０１０９】
一方、制御装置１０は、現在時刻が推定到着時刻ＴＡｉよりも前ではない（ＴＡｉ≦（現在時刻））と判定した場合、割当行先階ｄｉを登録した利用者が、行先階登録装置２０−１からｘ号機のドア前へ移動中でないと判定する（Ｓ３１でＮＯ）。この場合、制御装置１０は、ｘ号機の割当行先階ｄｉをｘ号機からｙ号機に割当変更することを決定する（Ｓ３３）。この場合、ｘ号機に対応する行先階インジケータ３０は、この割当変更処理の終了の後、ｙ号機に割当変更されたことを示す表示を行う。
【０１１０】
制御装置１０はまた、ステップＳ３３において、本実施形態に係る割当変更判定処理の実行後に実際に割当変更を行うために、割当変更データとして、ｘ号機（割当変更元の号機）と、ｙ号機（割当変更先の号機）と、割当行先階ｄｉ（割当変更対象の行先階）とを示すデータを、記憶部１２に格納する。
【０１１１】
ステップＳ３２またはステップＳ３３の処理を終えると、制御装置１０は、行先階番号ｉが、ｘ号機の割当行先階ｄ１〜ｄＮの個数Ｎと等しい（ｉ＝Ｎ）か否かを判定する（Ｓ３４）。行先階番号ｉがｘ号機の割当行先階ｄ１〜ｄＮの個数Ｎと等しくない（ｉ≠Ｎ）場合（Ｓ３４でＮＯ）、制御装置１０は、行先階番号ｉに１を加算し（Ｓ３５）、上述のステップＳ２５以降の処理を繰り返す。一方、行先階番号ｉがｘ号機の割当行先階ｄ１〜ｄＮの数Ｎと等しい（ｉ＝Ｎ）場合（Ｓ３４でＹＥＳ）、制御装置１０は、かご番号ｘが所定数Ｍに等しい（ｘ＝Ｍ）か否かを判定する（Ｓ３６）。
【０１１２】
かご番号ｘが所定数Ｍに等しくない（ｘ≠Ｍ）とき（Ｓ３６でＮＯ）、制御装置１０は、かご番号ｘに１を加算し（Ｓ３７）、上述のステップＳ２２以降の処理を実行する。かご番号ｘが所定数Ｍに等しいとき（Ｓ３６でＹＥＳ）、制御装置１０は、割当変更判定処理を終了する。
【０１１３】
割当変更判定処理を以上のように実行した後、制御装置１０（割当変更部１０ｂ）は、ステップＳ３３において記憶部１２に記憶された割当変更データにしたがって、割当変更対象の行先階を、割当変更元の号機から割当変更先の号機に割当変更する。また、制御装置１０（割当変更部１０ｂ）は、割当変更データにしたがって、割当変更信号を、割当変更が行われた号機に対応するインジケータ３０に出力して、インジケータ３０に割当変更を示す表示を行わせる。
【０１１４】
２−２．行先階インジケータの表示動作
図１１は、実施形態２に係る割当変更判定処理に基づいた行先階インジケータの表示例を示す図である。例えば、３人の利用者がそれぞれ、行先階登録装置２０−１で行先階として５階、１０階、及び１２階を登録し、これらの行先階がＤ号機のエレベータに割り当てられているものとする。このとき、Ｄ号機の行先階インジケータ３０Ｄは、図１１（ａ）に示すように、Ｄ号機の割当行先階（５階，１０階，１２階）を示す情報を表示する。
【０１１５】
本実施形態に係る割当変更判定処理において、制御装置１０は、割当行先階（５階、１０階、及び１２階）を登録した上記３人の利用者の推定到着時刻ＴＡ１、ＴＡ２、ＴＡ３を計算して、これらの利用者が移動中であるか否かを判定する。
【０１１６】
例えば、割当変更判定処理の実行時刻（現在時刻）が、５階及び１０階をそれぞれ登録した利用者の推定到着時刻ＴＡ１，ＴＡ２よりも前であり、且つ、１２階を登録した利用者の推定到着時刻ＴＡ３よりも後である場合がある。この場合、１２階を登録した利用者は既にドア前に到着しており、行先階インジケータ３０Ｄの表示を視認できる状態にあると推測される。この場合、所定の割当変更条件（第３及び第４の割当変更条件）が成立した場合、Ｄ号機の割当行先階である１２階は、Ｄ号機から例えばＣ号機に割当変更される。
【０１１７】
しかしながら、５階及び１０階をそれぞれ登録した２人の利用者は移動中であり、行先階インジケータ３０Ｄの表示を視認できない状態にあると推測される。この場合、所定の割当変更条件（第３及び第４の割当変更条件）が成立した場合であっても、Ｄ号機の割当行先階である５階と１０階については、Ｄ号機から別の号機に割当変更されない。
【０１１８】
この結果、１２階はＤ号機からＣ号機に割当変更される一方で、５階と１０階はＤ号機から割当変更されない。この場合、図１１（ｂ）に示すように、行先階インジケータ３０Ｄは、５階と１０階がＤ号機の割当行先階であることを示す表示を行うと同時に、１２階がＣ号機に割当変更されたことを示す表示を行う。このように、５階と１２階を登録した移動中の２人の利用者は、これら５階及び１２階の割当変更が抑制されるため、割当変更による不利益を被ることはない。その一方で、１２階を登録した利用者はＤ号機のドア前にいるため、行先階インジケータ３０Ｄの報知によって割当変更の内容を知ることができる。
【０１１９】
また、本実施形態では、割当変更先号機（ｙ号機）は、割当号機の割当行先階ｄｉ毎に選択される。したがって、３人の利用者はいずれも移動中でないと推定されるときに、例えば、５階と１０階をＤ号機からＡ号機に割当変更され、且つ、１２階をＤ号機からＣ号機に割当変更されることが可能である。この場合、行先階インジケータ３０Ｄは、当該割当変更の内容を示す表示を行う（図１１（ｃ））。このように、制御装置１０は、割当行先階ｄｉ毎に割当変更先の号機（ｙ号機）を細かく設定することができる。よって、割当変更する階を最小限の階におさめることができる。そのため、割当変更による利用者への影響を極力少なくすることができる。
【０１２０】
３．まとめ
以上のように、本実施形態に係るエレベータの群管理システムでは、
制御装置１０は、
割り当てたエレベータに複数の行先階が登録されている場合において、
所定の割当変更条件（第３および第４の割当変更条件）が成立した場合でも、登録されている行先階のうち少なくとも一の登録された行先階に係る利用者が当該割り当てたエレベータ（ｘ号機）へ移動中であると判定したときは、前記割り当てた複数の行先階のうち移動中であると判定した利用者により登録された行先階ｄｉについては、別のエレベータ（ｙ号機）に割当変更しない。
【０１２１】
これによって、制御装置１０は、一の行先階ｄｉのみを割当変更しないことが可能となる。そのため、割当変更する階を最小限の階におさめることができる。したがって、割当変更による利用者への影響を極力少なくすることができる。
【０１２２】
また、本実施形態では、所定の割当変更条件は第３の割当変更条件を含む。これによって、利用者の待ち時間が所定時間Ｃ１以上となってサービス性が低下する恐れがある場合に割当変更が行われることによって、利用者の待ち時間の短縮が可能となり、ユーザの利便性が向上する。
【０１２３】
また、本実施形態では、所定の割当変更条件は第４の割当変更条件を含む。これによって、利用者の待ち時間が所定時間Ｃ２未満となってサービス性が改善されることが期待される場合に割当変更が行われることによって、利用者の待ち時間の短縮が可能となり、ユーザの利便性が向上する。
【０１２４】
（実施形態３）
上記実施形態１、２では、制御装置１０は、利用者の属性によらずにあらかじめ決定された標準的な移動時間を用いて、割当号機へ移動中の利用者がいるか否かを判定した。これに対して、本実施形態では、制御装置１０は、利用者の属性に応じた移動時間を用いて、割当号機へ移動中の利用者がいるか否かを判定する。以下、構成を説明する。
【０１２５】
実施形態３に係るエレベータの群管理システムは、行先階登録装置２０と制御装置１０に替えて、図１２に示す行先階登録装置２０Ａと、図１３に示す制御装置１０Ａとを備える。行先階登録装置２０Ａは、利用者が所有するＩＤカードから利用者の属性を示す情報（利用者ＩＤ）を読み取るカードリーダ２６（識別情報取得部）をさらに備える。制御装置１０Ａの記憶部１２は、上記実施形態１、２の移動時間テーブル１２ｄ２に代えて、移動速度テーブル１２ｄ３及び移動距離テーブル１２ｄ４を記憶している。
【０１２６】
移動速度テーブル１２ｄ３は、図１４に示すように、利用者の属性に応じた移動速度を記録したテーブルである。図１４は、一例として、ＩＤ１の利用者の移動速度Ｖは１．２ｍ／ｓ、ＩＤ２の利用者の移動速度Ｖは０．８ｍ／ｓであること等が記録されている。ＩＤ１の利用者は健常者であり、ＩＤ２の利用者は高齢者である。高齢者は健常者に比べ一般に歩行速度が遅いので、高齢者の移動速度は健常者の移動速度Ｖに比べ小さな値に設定されている。
【０１２７】
移動距離テーブル１２ｄ４は、図１５に示すように、実施形態３に係るエレベータの群管理システムにおける、各行先階登録装置から各エレベータまでの利用者の移動距離を記録したテーブルである。例えば、図１５は、行先階登録装置２０−１は、Ａ号機〜Ｆ号機のエレベータ６０Ａ〜６０Ｆのドアから、図２（ａ）に示す所定の距離Ｄ１Ａ〜Ｄ１Ｆだけ離れた位置に位置し、行先階登録装置２０−２は、Ａ号機〜Ｆ号機のエレベータ６０Ａ〜６０Ｆのドアから、所定の距離Ｄ２Ａ〜Ｄ２Ｆだけ離れた位置に位置することが記録されている。
【０１２８】
行先階登録装置２０Ａの制御部２１は、カードリーダ２６が読み取った利用者ＩＤを示すＩＤ信号を制御装置１０Ａ（割当変更部１０ｂＡ）に出力する。制御装置１０Ａの割当変更部１０ｂＡは、移動速度テーブル１２ｄ３を参照して、制御部２１から受信したＩＤ信号が示す利用者ＩＤにより特定される利用者の移動速度を示す情報を取得する。そして、割当変更部１０ｂＡは、特定した利用者の移動速度と、行先階登録装置２０から割り当てたエレベータ６０までの距離とに基づいて、特定した利用者の移動時間を算出する。割当変更部１０ｂＡは、割当変更判定処理において、このように算出された利用者の属性に応じた移動時間に基づいて、この利用者がエレベータに移動中であるか否かを判定する。これによって、制御装置１０Ａは、利用者毎の移動速度に基づいて、利用者が移動中であるか否かの判定を、利用者毎に精度良く行うことができる。よって、利用者の利便性がさらに向上する。
【０１２９】
（その他の実施形態）
上記実施形態１〜３では、割当変更条件として第１ないし第４の割当変更条件を示した。しかし、割当変更条件はこれらに限定されない。例えば、割当変更条件は、予測される待ち時間、予測されるサービス完了時間、かごの予定される停止回数、乗場呼び情報、かご呼び情報等の種々のパラメータを含んでもよい。ここで、予測される待ち時間、予測されるサービス完了時間、およびかごの予定される停止回数の各々は、例えば、行先階呼びテーブル１２ｄ１、かご状態を示す情報等に基づいて、制御装置１０によって算出される。また、乗場呼び情報は、従来型の移動方向を指定する乗場呼びに関する情報であり、例えばエレベータの近傍に設置された上下方向の乗場呼びのためのボタンを含む操作盤（図示せず）から割当変更部（１０ｂまたは１０ｂＡ）に入力される。さらに、かご呼び情報は、エレベータのかご内に設置された操作盤（図示せず）で行先階を指定する操作に基づいて、割当変更部（１０ｂまたは１０ｂＡ）に入力されるかご呼びに関する情報である。
【０１３０】
上記実施形態１〜３では、行先階登録装置２０はビルの所定階（ｆ階）に配置されている。しかし、本発明はこれに限定されない。例えば、行先階登録装置２０は、ビルの全階または一部の複数の階に設置されてもよい。この場合、制御装置１０は、割当変更判定処理を行先階登録装置が設置される階毎に実行する。また、ビルの各階のエレベータホールＥＨにおける行先階登録装置２０の設置位置は、ビルの階毎に同一であってもよく、または相違してもよい。
【０１３１】
上記実施形態１〜３では、行先階登録装置２０はエレベータホールＥＨの入口の近傍に配置される。しかし、本発明はこれに限定されない。例えば、行先階登録装置２０は、ビルの入口の近傍、ビル内の所定の領域への入場を管理するためのセキュリティゲートの近傍などに設置されてもよい。
【０１３２】
上記実施形態１〜３では、行先階インジケータ３０は表示部３４を有し、割当変更先の号機を示す表示を行うことで割当変更の内容を利用者に報知する。しかし、本発明はこれに限定されない。例えば、行先階インジケータ３０は、表示部３４とともに、またはこれに替えて音声出力部を備え、割当変更先の号機を音声で報知してもよい。
【０１３３】
上記実施形態１〜３では、所定の割当変更条件が成立した後で、割り当てたエレベータへ移動中の利用者がいるか否かを判定する。しかし、本発明はこれに限らない。例えば、所定の割当変更条件が成立するか否かの判定と、割り当てたエレベータへ移動中の利用者がいるとの条件が成立するか否かの判定とを、並行して行ってもよい。そして、両条件が成立したときは、割当変更を行わないようにしてもよい。
【符号の説明】
【０１３４】
１０，１０Ａ  制御装置
１０ａ  行先階呼び割当部
１０ｂ，１０ｂＡ  割当変更部
１１  制御部
１２  記憶部
１３  入出力インタフェース
２０，２０Ａ，２０−１，２０−２  行先階登録装置
２１  制御部
２２  記憶部
２３  入出力インタフェース
２４  表示部
２５  操作部
２６  カードリーダ
３０，３０Ａ〜３０Ｆ  行先階インジケータ
３１  制御部
３２  記憶部
３３  入出力インタフェース
３４  表示部
４０，４０Ａ〜４０Ｆ  エレベータ制御装置
６０，６０Ａ〜６０Ｆ  エレベータ
ＥＨ  エレベータホール
【図１】
0006340998.tif 000002
【図２】
0006340998.tif 000003
【図３】
0006340998.tif 000004
【図４】
0006340998.tif 000005
【図５】
0006340998.tif 000006
【図６】
0006340998.tif 000007
【図７】
0006340998.tif 000008
【図８】
0006340998.tif 000009
【図９】
0006340998.tif 000010
【図１０】
0006340998.tif 000011
【図１１】
0006340998.tif 000012
【図１２】
0006340998.tif 000013
【図１３】
0006340998.tif 000014
【図１４】
0006340998.tif 000015
【図１５】
0006340998.tif 000016
【図１６】
0006340998.tif 000017